(57)【要約】【課題】脚に追加工を施すことなく低コストで棚板の取付けができるとともに、棚板を安定して、強固に支持することができ、しかも外観が良好な棚板付きテーブルを提供する。【解決手段】互いに対向する１対の脚１ａの対向面に上下方向を向く係合溝２４を設け、上下方向を向く基片２６の上下の端部に内方を向く上下部取付片２７、２８を連設した１対の支持ブラケット２５における各基片２６を、各脚の係合溝２４に嵌合し、上部取付片２７を天板５の下面に固着し、かつ下部取付片２８上に棚板６の両側部を載置して取付ける。【選択図】図３
2005131134.tif 000002
【特許請求の範囲】
【請求項１】
複数本の脚により天板を支持し、かつ前記天板の下方に棚板を取付けた棚板付きテーブルにおいて、
互いに対向する１対の脚の対向面に上下方向を向く係合溝を設け、上下方向を向く基片の上下の端部に内方を向く上下部取付片を連設した１対の支持ブラケットにおける前記各基片を、前記各脚の係合溝に嵌合し、上部取付片を天板の下面に固着し、かつ下部取付片上に前記棚板の両側部を載置して取付けたことを特徴とする棚板付きテーブル。
【請求項２】
支持ブラケットの上部取付片および下部取付片の基部に、脚の係合溝と係合する係合部を設け、この係合部の幅を係合溝の幅とほぼ同一としたことを特徴とする請求項１記載の棚板付きテーブル。
【請求項３】
棚板を、板材からなる棚本体の前端および両側端に垂下片を設け、かつ両側端の垂下片の下端に内向片を設けたものとし、前記内向片を支持ブラケットの下部取付片上に載置するようにしたことを特徴とする請求項１または２記載の棚板付きテーブル。
【請求項４】
支持ブラケットの下部取付片に上向片を設け、この上向片を、棚板における内向片に設けた係合孔に係合させ、かつ、下部取付片を前記内向片にねじ止めしたことを特徴とする請求項３記載の棚板付きテーブル。
【請求項５】
棚本体の後端部に、起立片と、この起立片の上端から後方を向く水平折曲片と、この水平折曲片の遊端から下方を向く下向片とからなる後端折曲部を形成し、前記下向片にボルトの頭部が挿通しうる切り欠きを、また前記水平折曲片に前記切り欠きに連続し、かつ前記ボルトの軸部が挿通しうるスリットを設け、頭部を前記切り欠きに、かつ軸部を前記スリットに挿通させたボルトを、天板またはその下方に配設した補強杆の下面よりねじ込むことにより、棚板の後部を支持したことを特徴とする請求項１〜４のいずれかに記載の棚板付きテーブル。
【発明の詳細な説明】
【技術分野】
【０００１】
本発明は、例えばオフィスで使用されるワークテーブル等の天板の下方に棚板を取付けた棚板付きテーブル関し、特に棚板の取付け構造の改良に関する。
【背景技術】
【０００２】
近年、オフィス等の執務室で使用されるワークテーブルにおいては、体裁がよく、安価に製作できることから、押出し材からなる脚によって天板を支持して構成されたものが多く見受けられるようになっている。この種のワークテーブルにおいて、天板の下方に棚板を設けた構成のものも知られている。この棚板をテーブルに取付ける構造として、脚の側部に係合孔を設け、この係合孔に棚板を支持するブラケットの係合爪を係止するようにした技術が提案されている（例えば、特許文献１参照）。
【特許文献１】特開２０００−２４５５５３号公報（図９、図１０）
【発明の開示】
【発明が解決しようとする課題】
【０００３】
しかし、上記従来技術では、押出し成形後の脚に係合孔を追加工で形成する必要があり、加工工数およびコストがそれだけ増すばかりでなく、棚板を取り外した場合、あるいは棚板を取付けないテーブルでは係合孔が外部に露出し、体裁が悪いという問題がある。
【０００４】
本発明は、従来の技術が有する上記のような問題点に鑑み、脚に追加工を施すことなく低コストで棚板の取付けができるとともに、棚板を安定して、強固に支持することができ、しかも外観が良好な棚板付きテーブルを提供することを目的としている。
【課題を解決するための手段】
【０００５】
本発明によると、上記課題は、次のようにして解決される。
(１)  複数本の脚により天板を支持し、かつ前記天板の下方に棚板を取付けた棚板付きテーブルにおいて、互いに対向する１対の脚の対向面に上下方向を向く係合溝を設け、上下方向を向く基片の上下の端部に内方を向く上下部取付片を連設した１対の支持ブラケットにおける前記各基片を、前記各脚の係合溝に嵌合し、上部取付片を天板の下面に固着し、かつ下部取付片上に前記棚板の両側部を載置して取付ける。
【０００６】
(２)  上記(１)項において、支持ブラケットの上部取付片および下部取付片の基部に、脚の係合溝と係合する係合部を設け、この係合部の幅を係合溝の幅とほぼ同一とする。
【０００７】
(３)  上記(１)または(２)項において、棚板を、板材からなる棚本体の前端および両側端に垂下片を設け、かつ両側端の垂下片の下端に内向片を設けたものとし、前記内向片を支持ブラケットの下部取付片上に載置するようにする。
【０００８】
(４)  上記(３)項において、支持ブラケットの下部取付片に上向片を設け、この上向片を、棚板における内向片に設けた係合孔に係合させ、かつ、下部取付片を前記内向片にねじ止めする。
【０００９】
(５)  上記(１)〜(４)項のいずれかにおいて、棚本体の後端部に、起立片と、この起立片の上端から後方を向く水平折曲片と、この水平折曲片の遊端から下方を向く下向片とからなる後端折曲部を形成し、前記下向片にボルトの頭部が挿通しうる切り欠きを、また前記水平折曲片に前記切り欠きに連続し、かつ前記ボルトの軸部が挿通しうるスリットを設け、頭部を前記切り欠きに、かつ軸部を前記スリットに挿通させたボルトを、天板またはその下方に配設した補強杆の下面よりねじ込むことにより、棚板の後部を支持する。
【発明の効果】
【００１０】
本発明によると、次のような効果を奏することができる。
(ａ)請求項１記載の発明によると、支持ブラケットの基片を脚の係合溝に嵌め込むとともに、上部取付片を天板の裏側に固定し、下部取付片で棚板の前部両側を支持するようにしたので、各支持ブラケットが側方に揺動したり、がたついたりすることがなく、棚板を安定して強固に支持することができるとともに、脚に孔空け等の追加工を施す必要がなく、コスト低減が可能となるとなり、しかも、棚板を取外した際においても、脚に孔加工がないため外観も良好となる。
【００１１】
(ｂ)請求項２記載の発明によると、支持ブラケットの係合部の幅を係合溝の幅とほぼ同一としたので、支持ブラケットが係合溝に密接して嵌合され、支持ブラケットおよび棚板が横方向に動くのを阻止することができる。
【００１２】
(ｃ)請求項３記載の発明によると、棚板は、前端および両側端の垂下片と、内向片とにより補強され、薄い板材で形成しても変形することがなく、しかも内向片を支持ブラケットの下部取付片上に載置したので、棚板の取付部分の強度をさらに高めることができる。
【００１３】
(ｄ)請求項４記載の発明によると、支持ブラケットの下部取付片に設けた上向片を、棚板の内向片に設けた係合孔に係合させたので、支持ブラケットの下部取付片に対する棚板の前後及び左右のがたつきが防止されるとともに、下部取付片を内向片にねじ止めしたことにより、棚板は支持ブラケットに強固に固定される。
【００１４】
(ｅ)請求項５記載の発明によると、棚板の後部は、ボルトの頭部に係止された状態で、確実に天板またはその下の補強杆に強固に固定される。
【発明を実施するための最良の形態】
【００１５】
以下、本発明の一実施形態を，図面に基づいて説明する。
図１は、本発明の一実施形態を備える棚板付きテーブルの側面図、図２は、分解斜視図である。
【００１６】
同図に示すように、テーブル(Ａ)は、４本の脚(1a)(1b)(1c)(1d)と、その前後（図１における左右）の脚(1a)(1c)と、同じく脚(1b)(1d)をそれぞれ連結する前後方向を向く縦ビーム(２)(２)と、この左右の縦ビーム(２)同士を連結する左右方向を向く前後１対の横ビーム(３)(３)と、この脚(1a)〜(1d)の上端に取付けられた天板(５)とを備えている。各々の脚(1a)〜(1d)の上端には、孔(4a)(4b)付きの取付金具(４)が、溶接またはねじ止め等により固着されており、天板(５)は孔(4a)を介してねじ込まれたねじ(図示せず)により取付金具(４)に固着されている。この天板(５)の下方に棚板(６)が取付けられている。
【００１７】
図３は、棚板の前部の取付け構造を示す分解斜視図、図４は、棚板の後部取付け構造を示す分解斜視図、図５は、テーブルに取付けた棚板部分の一部切欠側面図、図６は、図５のＶI−ＶI線に沿う縦断面図、図７は、図６のVII−VII線に沿う拡大横断平面図である。
【００１８】
図３〜図５に示すように、棚板(６)は、金属板を折曲加工して形成されたもので、平坦な棚本体(７)の前端には、下方を向く垂下片(８)が形成され、後端には、後端折曲部(10)が形成され、両側端には、垂下片(11)が形成されている。垂下片(８)の下端には、後下方
を向く傾斜片(12)が連設され、傾斜片(12)の後端には、起立片(13)が連設されている。
【００１９】
後端折曲部(10)は、棚本体(７)の後端より直角に立ち上がる起立片(14)と、この起立片(14)の上端から後方を向く水平折曲片(15)と、水平折曲片(15)の後端から下方を向く下向片(16)とを備えている。この後端折曲部(10)における下向片(16)に横長方形の切り欠き(17)が形成され、水平折曲片部(15)には、切り欠き(17)の中央より連続する前向きのスリット(18)が形成されている。
【００２０】
図３に示すように、前端の垂下片(８)の後方には、両側部の垂下片(11)の下端縁を直角に内方に折曲げた内向片(20)が形成され、この内向片(20)に、左右方向を向くスリット状の係合孔(21)と、ねじ孔(22)とが設けられている。各脚(1a)(1b)(1c)(1d)の外周面における前後左右の４箇所には、上下方向を向く係合溝(24)が形成されている(図７参照)。
【００２１】
棚板(６)を取付けるための支持ブラケット(25)は、上下方向を向く板状の基片(26)の上端および下端に、上部取付片(27)及び下部取付片(28)が各々内向きに直角に折曲げて形成されたものよりなっている。上部取付片(27)には取付孔(30)が形成され、下部取付片(28)には取付孔(31)が形成されるとともに、先端に上向片(32)が形成されている。上部取付片(27)および下部取付片(28)の基部(27a)(28a)の幅は、基片(26)の幅および係合溝(24)の幅とほぼ同一としてある。
【００２２】
棚板(６)は以下のようにしてテーブル(Ａ)に取付けられる。
図３に示すように、支持ブラケット(25)の基片(26)および上下部取付片(27)(28)の基部(27a)(28a)を前の脚(1a)(1b)の互いに対向する係合溝(24)に嵌め込む。支持ブラケット(25)の上部取付片(27)の取付孔(30)と取付金具(４)の孔(4b)とを合致させ、止めねじ(34)を取付孔(30)および孔(4b)を介して天板(５)にねじ込み、下部取付片(28)の上向片(32)を棚板(６)の内向片(20)の係合孔(21)に係合させ、下部取付片(28)の取付孔(31)から内向片(20)のねじ孔(22)に止めねじ(35)をねじ込む。これにより、図５および図６に示すように、棚板(６)の前部両側は、支持ブラケット(25)を介して天板(５)に強固に支持される。支持ブラケット(25)における上下部取付片(27)(28)の基部(27a)(28a)の幅を係合溝(24)の幅とほぼ同一の寸法に形成したことにより、支持ブラケット(25)の上下部が係合溝(24)に密接して嵌合された状態となり、支持ブラケット(25)の前後方向の動きが阻止される。
【００２３】
図４に示すように、後端折曲部(10)に形成されている切り欠き(17)にボルト(36)の頭部(37)を挿入し、ボルト(36)の軸部(38)をスリット(18)に挿入するとともに、このボルト(36)を横ビーム(３)に設けた孔(39)(40)を介して天板(５)にねじ込む。これにより、棚板(６)の後部両側は、横ビーム(３)を介して、天板(５)に支持される。図１に示すように、棚板(６)は天板(５)の下方に、天板(５)と平行に配置される。
【００２４】
以上のように、本実施形態の棚板付きテーブルでは、支持ブラケット(25)の基片(26)を脚(2a)〜(2d)の係合溝(24)に嵌め込むとともに、上部取付片(27)を天板(５)の裏側に固定し、下部取付片(28)で棚板(６)の前部両側を支持するようにしたので、押出し材の脚(1a)〜(1d)には孔空け等の追加工を施す必要がなくなり、コスト低減が可能となるとともに、孔がないため外観も良好となる。
【００２５】
また、棚板(６)の前端および両側端に、垂下片(８)(11)を形成することにより、棚板(６)は補強され、薄い板材でも変形することが防止できる。
【図面の簡単な説明】
【００２６】
【図１】本発明の一実施形態の側面図である。
【図２】同じく、分解斜視図である。
【図３】同じく、棚板の前部の取付け構造を示す分解斜視図である。
【図４】同じく、棚板の後部の取付け構造を示す分解斜視図である。
【図５】テーブルに取付けた棚板部分の一部切欠側面図である。
【図６】図５のＶI−ＶI線に沿う縦断面図である。
【図７】図６のVII−VII線に沿う拡大横断平面図である。
【符号の説明】
【００２７】
(1a)(1b)(1c)(1d)脚
(２)縦ビーム
(３)横ビーム
(４)取付金具
(4a)(4b)取付孔
(５)天板
(６)棚板
(７)棚本体
(８)垂下片
(10)後端折曲部
(11)垂下片
(12)傾斜片
(13)(14)起立片
(15)水平折曲片
(16)下向片
(17)切り欠き
(18)スリット
(20)内向片
(21)係合孔
(22)ねじ孔
(24)係合溝
(25)支持ブラケット
(26)基片
(27)上部取付片
(27a)基部
(28)下部取付片
(28a)基部
(30)(31)取付孔
(32)上向片
(34)(35)止めねじ
(36)ボルト
(37)頭部
(38)軸部
(39)(40)孔
【図１】
2005131134.tif 000003
【図２】
2005131134.tif 000004
【図３】
2005131134.tif 000005
【図４】
2005131134.tif 000006
【図５】
2005131134.tif 000007
【図６】
2005131134.tif 000008
【図７】
2005131134.tif 000009